(57)【要約】【課題】ヘッドの重量を自在に調節することができ、且つ構造が簡単なゴルフ用練習具を提供すること。【解決手段】バット状のゴルフ練習用クラブＡであって、大径部１と該大径部１より径の小さい小径部２と該小径部２からグリップ部４に至るに従って漸次径小となるテーパ部３とよりなるゴルフ練習用クラブ。【選択図】図１
2010274007.tif 000002
【特許請求の範囲】
【請求項１】
バット状のゴルフ練習用クラブであって、大径部と該大径部より径の小さい小径部と該小径部からグリップ部に至るに従って漸次径小となるテーパ部とよりなることを特徴とするゴルフ練習用クラブ。
【請求項２】
小径部に挿脱可能な円柱状錘リングを備えたことを特徴とする請求項１記載のゴルフ練習用クラブ。
【請求項３】
小径部の外周面に円柱状錘リングの抜け止めのための環状突起を設けたことを特徴とする請求項２記載のゴルフ練習用クラブ。
【請求項４】
小径部に円柱状錘リングの内周面に抜け止め用の長リブを設けたことを特徴とする請求項２記載のゴルフ練習用クラブ。
【請求項５】
小径部に円柱状錘リングの内周面に環状リブを設け、小径部に該環状リブが嵌り込む環状溝部を設けたことを特徴とする請求項２記載のゴルフ練習用クラブ。
【請求項６】
グリップ部が後端に至るに従って漸次径大となるように形成されていることを特徴とする請求項１記載のゴルフ練習用クラブ。
【請求項７】
円柱状錘リングが合成又は天然ゴムで形成されていることを特徴とする請求項１記載のゴルフ練習用クラブ。
【請求項８】
円柱状錘リングの外径が大径部の径より大きいことを特徴とする請求項１記載のゴルフ練習用クラブ。
【請求項９】
グリップ部の末端部の径より円柱状錘リングの内径が大きいことを特徴とする請求項２記載のゴルフ練習用クラブ。
【発明の詳細な説明】
【技術分野】
【０００１】
本発明はゴルフの練習に用いられるゴルフ練習用クラブに関し、更に詳しくは、スイングする際の負荷を調整できるゴルフ練習用クラブに関する。
【背景技術】
【０００２】
従来、ゴルフのスイングに必要となる筋力を付ける場合には、例えば特許文献１〜３に記載されたようなゴルフ練習用クラブを使ったスイングの練習が行われている。
【先行技術文献】
【特許文献】
【０００３】
【特許文献１】特開２００５−１３７３９６号公報
【特許文献２】特開平１０−１７９８３１号公報
【特許文献３】特開２００７−２７５１６７号公報
【発明の概要】
【発明が解決しようとする課題】
【０００４】
しかしながら、上記特許文献１に記載されたスイング練習具はヘッドの重さを調節することができないため、例えば、これを振るのに必要となる筋力を十分身に付けていない使用者にとっては重過ぎる。
その結果、スイングに無理がかかり、身体を痛める場合がある。
一方、強い筋力を有する使用者には軽過ぎて負荷が十分でなく、必ずしも筋力のトレーニングにつながらない。
また、かかるスイング練習具は放射状支持枠材を備えるため構造が複雑であり、組み付け工数が増すという問題がある。
【０００５】
特許文献２に記載されているスイング練習具は、あくまでも打球領域を決める打球部材でボールを当てて打返すもので、その重さの調節は当然出来ない。
【０００６】
特許文献３に記載されているスイング練習具は、バネを使っているため構造が複雑であり、故障もし易く、また製造コストが嵩むという問題がある。
【０００７】
本発明は、以上の課題を解決すべく開発されたものである。
すなわち、ヘッドの重量を自在に調節することができ、且つ構造が簡単なゴルフ用練習具を提供することを目的とする。
【課題を解決するための手段】
【０００８】
本発明者らは、以上のような課題背景をもとに鋭意研究を重ねた結果、バット状のゴルフ練習用クラブの先端に円柱状錘リングを挿脱可能にすることで上記の課題を解決できることを見出し、その知見に基づいて本発明を完成させたものである。
【０００９】
すなわち本発明は、（１）、バット状のゴルフ練習用クラブであって、大径部と該大径部より径の小さい小径部と該小径部からグリップ部に至るに従って漸次径小となるテーパ部とよりなるゴルフ練習用クラブに存する。
【００１０】
また本発明は、（２）、小径部に挿脱可能な円柱状錘リングを備えた上記（１）記載のゴルフ練習用クラブに存する。
【００１１】
また本発明は、（３）、小径部の外周面に円柱状錘リングの抜け止めのための環状突起を設けた上記（２）記載のゴルフ練習用クラブに存する。
【００１２】
また本発明は、（４）、小径部に円柱状錘リングの内周面に抜け止め用の長リブを設けた上記（２）記載のゴルフ練習用クラブに存する。
【００１３】
また本発明は、（５）、小径部に円柱状錘リングの内周面に環状リブを設け、小径部に該環状リブが嵌り込む環状溝部を設けた上記（２）記載のゴルフ練習用クラブに存する。
【００１４】
また本発明は、（６）、グリップ部が後端に至るに従って漸次径大となるように形成されている上記（１）記載のゴルフ練習用クラブに存する。
【００１５】
また本発明は、（７）、円柱状錘リングが合成又は天然ゴムで形成されている上記（１）記載のゴルフ練習用クラブに存する。
【００１６】
また本発明は、（８）、円柱状錘リングの外径が大径部の径より大きい上記（１）記載のゴルフ練習用クラブに存する。
【００１７】
また本発明は、（９）、グリップ部の末端部の径より円柱状錘リングの内径が大きい上記（２）記載のゴルフ練習用クラブに存する。
【００１８】
なお、本発明の目的に添ったものであれば上記の発明を適宜組み合わせた構成も採用可能である。
【発明の効果】
【００１９】
本発明のゴルフ練習用クラブによれば、ゴルフ練習用クラブの先端に柱状錘リングが挿脱可能となっているため、ヘッドの負荷（いわゆる重さ）を自在に調節することができる。
そのため、かかるゴルフ練習用クラブは使用者の力量に応じて常に最適なヘッドの重量を提供することができる。
ヘッドの重量が使用者にとって適切に調節されることで、使用者に最適な負荷を使ったトレーニングが可能である。
【００２０】
ゴルフ練習用クラブの小径部の外周面に円柱状錘リングの抜け止めのための環状突起が設けられると、スイング中でも、円柱状錘リングが滑り移動することがない。
【００２１】
円柱状錘リングの小径部の内周面に抜け止め用の長リブが設けられると、保持力が増し、また、円柱状錘リングの弾圧性が高まる。
【００２２】
円柱状錘リングの内周面に環状突起を設け、ゴルフ練習用クラブの小径部に該環状突起が嵌り込む環状溝部を設けることで、保持力が増す。
【００２３】
ゴルフ練習用クラブのグリップ部が後端に至るに従って漸次径大となると、使用者はグリップ部を握りやすくなる。
またゴルフ練習用クラブを地面に置いた場合でも、全体が大径部や円柱状錘リングとグリップ部の末端部とで支えるため、その間の部分が地面に接することがなく傷や、汚れが付きにくい。
【００２４】
円柱状錘リングの外径が大径部の径より大きいと、円柱状錘リングで支持するため、大径部が傷つかない。
【００２５】
グリップ部の末端部の径より円柱状錘リングの内径が大きいことにより、円柱状錘リングをゴルフ練習用クラブに容易に装着できる。
【図面の簡単な説明】
【００２６】
【図１】図１は本発明の一実施形態を示す正面図である。
【図２】図２は図１のゴルフ練習用クラブに円柱状錘リングを備えた状態を示す正面図である。
【図３】図３はグリップ部の末端部の径と円柱状錘リングの内径との関係を示す図である。
【図４】図４は図１のゴルフ練習用クラブに円柱状錘リングを複数個備えた図である。
【図５】図５は、円柱状錘リングの大きさを変えた例を示す図である。
【図６】図６は、円柱状錘リングの大きさを変えた別の例を示す図である。
【図７】図７は、図１のゴルフ練習用クラブを地面に寝かせた状態を示す説明図である。
【図８】図８は、図２のゴルフ練習用クラブを地面に寝かせた状態を示す説明図である。
【図９】図９は、円柱状錘リングの実施形態を示す図であり、（Ａ）は上面図、（Ｂ）はその断面図である。
【図１０】図１０は、柱状錘リングの別の実施形態を示す図であり、（Ａ）は上面図、（Ｂ）はその断面図である。
【図１１】図１１は、図１０の円柱状錘リングが小径部に取り付けられた状態を示す断面図である。
【図１２】図１２は、ゴルフ練習用クラブの別の実施形態を示す説明図である。
【図１３】図１３は、ゴルフ練習用クラブの更に別の実施形態を示す説明図である。
【発明を実施するための形態】
【００２７】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。更に、図面の寸法比率は図示の比率に限られるものではない。
【００２８】
図１は、本発明の一実施形態を示す正面図である。
図１に示すように、本実施形態のゴルフ練習用クラブＡは野球のバット状を呈しており、先端に形成された大径部１と、かかる大径部１に隣接して形成された小径部２と、かかる小径部２に隣接し、漸次縮径して形成されたテーパ部３と、かかるテーパ部３に隣接して形成されたグリップ部４とを有する。
これらは例えば、集成材等の木材を加工して作られる。
【００２９】
大径部１がゴルフ練習用クラブＡの先端に形成されたことで、ゴルフ練習用クラブＡの重心が先端の方へ移動する。
そのため、野球のバットとは異なって、先端に一定重量のヘッドを有する実際のゴルフクラブに似た重量バランスになる。
ゴルフ練習用クラブＡを使用した際に、実際のゴルフクラブをスイングしたときに近い感覚を得ることができる。
そのため、このゴルフ練習用クラブＡを使ってスイングすることが、ゴルフ特有の必要な筋力トレーニングに役立つのである。
【００３０】
ここで大径部１の重量は、実際に使うドライバーやアイアンのヘッドバランスに似た重量とすることが好ましいが、筋力の強化に注力する場合は、それより大きくする場合がある。
【００３１】
グリップ部４は後端に至るに従って漸次径大、すなわちテーパ状となるように形成されている。
そのため、使用者がゴルフクラブを握るのと同様の握り方でグリップ部４を握った際にも、グリップ力が高まり、手がグリップ部４から滑りにくい。
使用者は、筋力強化のために、後述する少し重めの円柱状錘リング５を装着してスイングする傾向があるが、その場合にも十分対応することができる。
【００３２】
グリップ部４のテーパ角度はグリップ力とグリップのし易さの観点から選ばれる。
また後述するように、角度が大きくなって末端部の径が円柱状錘リング５の内径より大きくならないことが必要である。
【００３３】
グリップ部４にはゴム製のグリップ部材４１が装着されている。グリップ部材４１が装着されることで、手がグリップ部４からより滑りにくくなる。
グリップ部材４１にはエンボス模様が付与されてもよい。
【００３４】
図２は、図１のゴルフ練習用クラブに円柱状錘リングを備えた状態を示す正面図である。
図に示すように、ゴルフ練習用クラブＡの小径部２には円柱状錘リング５が挿脱可能に取り付けられる。
円柱状錘リング５は中央部が空洞になった、いわゆるドーナツ状で、その外径はゴルフ練習用クラブＡの径大部１の径より大きい。
またその内径は小径部２の径よりも僅かに大きい方が好ましい。
【００３５】
円柱状錘リング５をゴルフ練習用クラブＡに取り付ける場合は、グリップ部４側から円柱状錘リング５を挿通させ、径大部１に当接するまで移動させる。
円柱状錘リング５の内径はグリップ部４の端末部の径よりも大きいため、支障なく円柱状錘リング５を挿通できる（図３参照）。
また円柱状錘リング５の内径は径大部１の径よりも小さいため円柱状錘リング５は、圧入気味に装着される。
スイング中は、径大部１があるため円柱状錘リング５が抜け飛ぶ危険はない。
【００３６】
円柱状錘リング５がゴルフ練習用クラブＡに取り付けられることで、ゴルフ練習用クラブＡのヘッドの重さを軽くしたり或いは重くしたりすることが可能になる。
様々な重さの円柱状錘リング５が用意されることで、ゴルフ練習用クラブＡは使用者の筋力の度合いに応じた使用が可能になる。
円柱状錘リング５は、弾圧効果の観点から合成ゴム等の合成樹脂、天然ゴムで形成されることが好ましい。
このような材料により形成されることで、スイング中、衝突した場合の危険防止にもなる。
また円柱状錘リング５は、内部が金属で外側が合成ゴム等の合成樹脂、天然ゴムで覆われていてもよい。  
【００３７】
また前述したように、円柱状錘リング５の外径は、ゴルフ練習用クラブＡの径大部１の径より大きくなっている。
そのため円柱状錘リング５を取り外す際、指が円柱状錘リング５の角に掛かって力を入れ易い。
またゴルフ練習用クラブＡを地面に置いた時、円柱状錘リング５が直接、地面に接することになり、大径部に傷が付きにくい。
【００３８】
図４は、図１のゴルフ練習用クラブに円柱状錘リングを複数個備えた図である。
図に示すように、ゴルフ練習用クラブＡの小径部２には複数個の円柱状錘リング５を取り付けることができる。
このことにより、円柱状錘リング５が複数個取り付けられることでもゴルフ練習用クラブＡのヘッドの重さは調節される。同じ重量の円柱状錘リング５が用意されている場合は、その個数を選択することで、使用者は容易にヘッドの重さを調節することができる。
【００３９】
もっとも、図５及び図６に示すように、円柱状錘リング５の大きさを変えることでも複雑な重量調整が可能である。
径の異なる円柱状錘リング５の組み合わせ（図５参照）や、高さの異なる円柱状錘リング５の組み合わせ（図６参照）ができる。
【００４０】
図７は、図１のゴルフ練習用クラブを地面に寝かせた状態を示す説明図である。
図に示すように、ゴルフ練習用クラブＡを地面に寝かせて置いた場合、径大部１とグリップ部４の端末部とで支持されるため両者間に空間Ｐができて、その部分が地面に直接接触しない。
【００４１】
また図８は、図２のゴルフ練習用クラブを地面に寝かせた状態を示す説明図である。
この場合も円柱状錘リング５とグリップ部４の端末部との間に空間Ｐができ地面に接触しない。
このようにゴルフ練習用クラブＡが地面に寝かせた状態にあっても、大部分は地面との摩擦が生じなく、傷が付きにくい。
【００４２】
図９は、円柱状錘リングの別の実施形態を示す図であり、（Ａ）は上面図、（Ｂ）はその断面図である。
図に示すように、この形態の円柱状錘リング５の内周面には軸方向に沿って複数箇所（ここでは三箇所）に固定用の長リブ５１が縦に設けられている。
円柱状錘リング５に長リブ５１が設けられると、長リブ５１の部分で強くゴルフ練習用クラブＡの小径部２を局所的に押圧するので固定力が強くなる。
また別の意味で円柱状錘リング５と小径部２との間に空隙が形成されて円柱状錘リング５に大きい弾圧力が生じる。
前述したようにスイング中、他の物に衝突した場合もより安全である。
【００４３】
図１０は、円柱状錘リングの別の実施形態を示す図であり、（Ａ）は上面図、（Ｂ）はその断面図である。
図に示すように、この形態の円柱状錘リング５の内周面には環状リブ５２が設けられている。
【００４４】
図１１は、図１０の円柱状錘リングが小径部に取り付けられた状態を示す断面図である。
図１１に示すように、円柱状錘リング５が小径部２に取り付けられると、円柱状錘リング５の内周面に設けられた環状リブ５２が小径部２に形成された環状溝２１に嵌め込まれて固定される。
環状リブ５２が環状溝２１に嵌め込まれることにより、滑り移動が阻止され固定が確実となる。
【００４５】
図１２は、ゴルフ練習用クラブの更に別の実施形態を示す説明図である。
図に示すように、本実施形態のゴルフ練習用クラブＡにおいては、小径部２の外周面に径大部１と一定の距離を隔てて環状突起２２が形成されており、円柱状錘リング５は、この環状突起２２と径大部１の間に嵌め込まれることになる。
ここで、合成ゴムまたは天然ゴムの円柱状錘リング５であれば、環状突起２２を乗り越えて嵌め込むことは、容易である。
嵌め込まれた円柱状錘リング５は、環状突起２２が滑り移動を止める役割を果たして動かない。
【００４６】
図１３は、ゴルフ練習用クラブの別の実施形態を示す説明図である。
図に示すように、本実施形態のゴルフ練習用クラブＡにおいては、円柱状錘リング５の手元側への滑り移動を阻止するためのストッパＳを設けたものである。
ストッパＳとしては合成ゴムや天然ゴム等の軟質材料が用いられる。
【産業上の利用可能性】
【００４７】
本発明のゴルフ練習用クラブによれば、ゴルフ練習用クラブヘッドの重さを調節できるので、使用者の筋力または習熟度合いに応じた使い方が可能であり、ゴルフ以外のスイングによる筋力トレーニングの分野においても有効利用できる。
【符号の説明】
【００４８】
Ａ…ゴルフ練習用クラブ
Ｐ…空間
Ｓ…ストッパ
１…大径部
２…小径部
２１…環状溝
２２…環状突起
３…テーパ部
４…グリップ部
４１…グリップ部材
５…円柱状錘リング
５１…長リブ
５２…環状リブ
【図１】
2010274007.tif 000003
【図２】
2010274007.tif 000004
【図３】
2010274007.tif 000005
【図４】
2010274007.tif 000006
【図５】
2010274007.tif 000007
【図６】
2010274007.tif 000008
【図７】
2010274007.tif 000009
【図８】
2010274007.tif 000010
【図９】
2010274007.tif 000011
【図１０】
2010274007.tif 000012
【図１１】
2010274007.tif 000013
【図１２】
2010274007.tif 000014
【図１３】
2010274007.tif 000015